(57)【要約】【課題】  ブレストキャップ挿入物、及びブレストキャップ挿入物を使用するためのブレストキャップを提供する。【解決手段】  本発明は、使用時、女性の乳房の乳輪の上に配置される搾乳器用のブレストキャップ挿入物に関する。このブレストキャップは、大きい後部開口（１３）と小さい前部開口（１４）を有する円錐台形状の基部（１）を有し、この基部は、ブレストキャップ（６）の漏斗部分に受け入れられるように形成されている。円錐台形状の基部（１）は、少なくとも一部が蓄熱性及び／又は熱伝導性を有する材料から製造されており、必要であれば加温される。加温されるのは、女性の乳房の体温が伝達されるときだけでない。ブレストキャップ挿入物を加温するための他の手段が用いられる。【選択図】  図２
2007520277.tif 000002
【特許請求の範囲】
【請求項１】
使用の際、女性の乳房の乳輪に取り付けるように形成された搾乳器用のブレストキャップ挿入物であり、
前記ブレストキャップ挿入物は、ブレストキャップ（６）の漏斗部分に収容されるように形成された、大きい後部開口（１３）と小さい前部開口（１４）とを備える円錐台形状の基部（１）を有し、
円錐台形状の前記基部（１）が、少なくとも一部が蓄熱性及び／又は熱伝導性を有する材料から製造されているとともに、使用の際に加温され、
この加温が女性の乳房の体温伝達によるものだけでないことを特徴とするブレストキャップ挿入物。
【請求項２】
前記基部（１）が、チャンバー（１２）を形成する内側及び外側円錐壁（１０，１１）を有し、
前記チャンバー（１２）が、蓄熱性及び／又は熱伝導性を有する充填媒体（１５）を備えている請求項１に記載のブレストキャップ挿入物。
【請求項３】
少なくとも前記内側円錐壁（１０）が、弾性変形可能に形成されている請求項２に記載のブレストキャップ挿入物。
【請求項４】
前記充填媒体が、ゲル（１５）である請求項２又は３に記載のブレストキャップ挿入物。
【請求項５】
前記基部（１）が、少なくとも１つの抵抗発熱体（３）を備え、
前記挿入物が、前記少なくとも１つの抵抗発熱体（３）と接続される電気的接触手段（４）を有する請求項１に記載のブレストキャップ挿入物。
【請求項６】
使用の際、前記ブレストキャップ（６）の漏斗部分に配置された加温器（９）を作動させるための作動手段（７）を備える請求項１に記載のブレストキャップ挿入物。
【請求項７】
前記ブレストキャップ（６）の漏斗部分に、前記基部（１）を固定するための手段（２）を有する請求項１から６に記載のブレストキャップ挿入物。
【請求項８】
前記基部（１）の固定手段が、前記大きい開口（１３）を取り囲むカラー（２）である請求項７に記載のブレストキャップ挿入物。
【請求項９】
使用の際、女性の乳房の乳輪に取り付けるように形成された搾乳器用のブレストキャップ挿入物であり、
前記ブレストキャップ挿入物は、ブレストキャップ（６）の漏斗部分に収容されるように形成された、大きい後部開口（１３）と小さい前部開口（１４）とを備えた円錐台形状の基部（１）を有し、
少なくとも前記基部（１）が、発泡プラスチック又は発泡プラスチックと似た材料、特にポリウレタンフォーム又はポリオレフィンフォームから製造されていることを特徴とするブレストキャップ挿入物。
【請求項１０】
前記ブレストキャップが、前記ブレストキャップにはめられた前記ブレストキャップ挿入物を暖めるための加温器（９）を有する請求項１に記載のブレストキャップ挿入物と共に使用するための搾乳器のブレストキャップ。
【請求項１１】
前記ブレストキャップが、前記挿入物の接触手段（４）と接触するための電気的接触手段（５）を有する請求項５に記載のブレストキャップ挿入物と共に使用するための搾乳器のブレストキャップ。
【請求項１２】
前記ブレストキャップが、前記ブレストキャップにはめられた状態の挿入物を暖めるための加温器（９）と、前記挿入物の前記作動手段（７）と接触するために前記加温器（９）と接続されたスイッチ手段（８）を有する請求項６に記載のブレストキャップ挿入物と共に使用するための搾乳器のブレストキャップ。
【発明の詳細な説明】
【技術分野】
【０００１】
本発明は請求項１及び９の前文による搾乳器用のブレストキャップ挿入物、並びに請求項１０，１１及び１２の前文によるブレストキャップ挿入物とともに使用するための搾乳器のブレストキャップに関する。
【背景技術】
【０００２】
搾乳器は公知である。搾乳器は、通常、吸入ポンプ、吸入ポンプと連結し、人間の母親の乳房の乳輪の上に取り付けられるブレストキャップ、並びに搾乳された母乳を集めるための、ブレストキャップと連結した集乳容器を有している。
【０００３】
公知のブレストキャップは、実質的には硬い漏斗状のものからなっているため、異なる乳房の大きさに適応できるよう、ブレストキャップ挿入物が用いられる。
【０００４】
これら公知のブレストキャップ挿入物は、様々な形状を有する。例えば、ＵＳ−Ａ−５，９４１，８４７は、漏斗の首に相当する部分が長い漏斗状の挿入物を開示している。ＥＰ−Ａ−０，２３７，４７４には、シリンダー状の乳頭アタッチメントを有する挿入物が開示されている。この挿入物は、水に対して１００℃まで化学的不活性である物質から製造されている。
【０００５】
ＵＳ−Ａ−５，１００，４０６とＵＳ−Ａ−５，８８５，２４６には、厚くなった部分及び薄くなった部分を有する円錐台状の挿入物が記載されており、搾乳プロセスを最適化するよう、乳房の刺激を改良することが保障されている。
【０００６】
ＷＯ０２／１７９９３には、快適な付け心地を保障する、ブレストキャップ挿入物が示されている。この挿入物は、内側及び外側円錐壁を持つ円錐台形状の基部を有し、この両壁が閉じたチャンバーを形成する。このチャンバーは、空気、気体、ゲル、又はシリコンで満たされ、内側円錐壁は弾性変形可能に形成されている。これによって、ブレストキャップ挿入物は、乳房に望ましくない圧力をかけることなしに、乳房の形に最適に適合する。
【０００７】
さらに、ＵＳ−Ａ−５，７７６，１７７には、例えば、肘や肩、あるいは胸のような突き出た身体部分上に治療のために用いられる、Ｃ字形の温パック、又は冷パックが開示されている。ＵＳ−Ａ−５，７７６，１７７には、さらに、この温パック、又は冷パックからなるカラーを有するキャップ漏斗が備わった搾乳器が開示されている。それゆえ、この漏斗は、使用の際、母親の乳房の乳輪を取り囲み、Ｃ字形の温パック、又は冷パックによって形成されたフランジが、乳房の乳輪の外側に取り付けられ、乳房が温められ、又は冷やされる。それにより、胸の腫れや炎症を回避することができる。
【発明の開示】
【発明が解決しようとする課題】
【０００８】
本発明の課題は、搾乳器用のブレストキャップ挿入物を提供し、一方で、付け心地を更に改良し、それに加え、搾乳過程に好影響を及ぼすことである。
この課題は、特許請求項１及び９の特徴を有するブレストキャップ挿入物により解決される。
本発明のさらなる課題は、そのような改良されたブレストキャップ挿入物との使用に適する、搾乳器のブレストキャップを提供することである。
この課題は、特許請求項１０，１１及び１２の特徴を有するブレストキャップにより解決される。
【課題を解決するための手段】
【０００９】
使用の際、女性の乳房の乳輪に取り付けるようになっている本発明によるブレストキャップ挿入物は、大きい後部開口と小さい前部開口とを備える円錐台形状の基部を有しており、この基部が、ブレストキャップの漏斗部分に収容されるよう形成されている。
本発明によると、円錐台形状の基部は、少なくとも一部分が蓄熱性及び／又は熱伝導性を有する材料から製造されており、使用の際に加温される。その場合、女性の乳房の体温の伝達のみによって加温されるのでなく、ブレストキャップ挿入物を加温するための他の手段が組み込まれている。
【００１０】
第1の実施形態において、挿入物は、ＷＯ０２／１７９９３に記載されたものに類似、又は同等に形成されており、チャンバーは蓄熱性の良好な充填材を備えている。この挿入物は使用前に、湯浴で、炉内で、温風により、又は伝熱面の上にのせることにより、所望する温度に加温することができる。使用の際、つまり、搾乳中に、この熱は乳房に受け渡される。
【００１１】
本発明の他の実施形態においては、挿入物は、使用中、ブレストキャップに挿入され、ブレストキャップを用いて加温することができ、又は挿入物自身に加温部材が備わっている。
【００１２】
本発明によるブレストキャップ挿入物は、使用の際、所望の温度に加温されるため、付け心地が良くなる。母親は敏感な乳房に冷たい挿入物を置く必要がなく、自分が心地よいと思う温度を選ぶことができる。
【００１３】
とりわけ、母親の胸に抱かれた乳児は、乳首に近い部分で熱を発するため、自然な授乳プロセスもよく考慮されている。授乳プロセスのこの熱シミュレーションにより、乳房は最適に刺激され、それによって搾乳プロセスが最適化される。
【００１４】
円錐形状の基部が発泡プラスチック、又は発泡プラスチックに似た材料、とりわけポリウレタンフォーム、又はポリオレフィンフォームから製造されたブレストキャップ挿入物を用いることにより、付け心地がよくなり、搾乳プロセスも改良される。この材料は比較的柔らかく、それ故着け心地がよい。これに加えて、比較的熱伝導係数が低いので、肌に暖かさを感じる。
【００１５】
更なる好適な実施形態は、従属請求項に記載されている。
【発明の効果】
【００１６】
本発明によるブレストキャップ挿入物、並びに本発明による搾乳器用ブレストキャップは、使用時の快適性を高め、搾乳プロセスを最適化する。
【発明を実施するための最良の形態】
【００１７】
以下、添付の図に示された好ましい実施例に基づき、本発明の対象物について説明する。
【００１８】
図１に、本発明によるブレストキャップ挿入物の第一の実施形態を示す。
ブレストキャップ挿入物は、内側及び外側の円錐壁１０，１１を備えた円錐台形状の基部１を有する。この円錐壁１０，１１は、好ましくは、プラスチックフィルム、又は他の適当なゴム弾性材料から製造される。外側の円錐壁１１のフィルムは、好ましくは、約０．４ｍｍの厚みを有し、内側の円錐壁１０のフィルムは、約０．１〜２５ｍｍの厚みを有する。
【００１９】
少なくとも、内側の円錐壁１０は弾性変形可能であり、好ましくは、両円錐壁１０，１１が弾性変形可能である。この二つの円錐壁１０，１１は、閉じたチャンバー１２を取り囲むよう、互いに間をあけて連結されている。好ましくは、二つの円錐壁１０，１１は互いに溶接されており、使用の際、授乳する母親の方に向けられる後ろ側の大きい開口１３と、前側の小さい開口１４は、空いたままになっている。この開口１３，１４は好ましくは円形であり、小さい開口１４は、母親の乳房の乳首を自由にするように使われる。
【００２０】
溶接線が乳房を傷つけたり、刺激したりしないように、内側の円錐壁１０のフィルムが、特に、大きい開口部分で、外側の円錐壁１１のフィルムを超えて折り返されていることにより、柔らかいパッド１６が形成され、溶接線１７が挿入物の外面にくるようになっている。それによって、パッド１６は、使用の際、ブレストキャップの漏斗部分から張り出している。
【００２１】
挿入物を搾乳器のブレストキャップに固定するために、基部１には、その大きい開口１３の領域において、周辺カラー２が形成されている。このカラー２は、好ましくは、変形可能なフィルムから形成されている。このカラーは、二つの円錐壁１０，１１の溶接線上に溶接することが可能である。しかしながら、二つの円錐壁１０，１１のうち一方を、より長くして形成することも可能である。好ましくは、カラー２はＶ字形に形成されている。カラー２の第1の脚２０は、ブレストキャップの漏斗部分の上にあるが、第２の脚２１はそこから突き出ており、キャップから挿入物をはずすために、容易に手でつかむことができる。
【００２２】
チャンバー１２には、変形可能な充填媒体１５がある。好ましくは、チャンバー１２は、この媒体１５で完全に充填されている。本発明によると、媒体１５は、蓄熱性及び／又は熱伝導性を有する材料である。好ましくは、そのような特性を有するゲル、特に薬用パラフィン油又は白油、あるいは、濃縮流体である。
【００２３】
本発明によると、挿入物、又は少なくともその基部１は、使用の際、又は使用前に加温される。この加温は様々な方法で行うことが可能である。
【００２４】
使用前に加温する場合、挿入物は、例えば、湯浴で所望の温度に加温される。また、挿入物は炉に入れ、又は温風にさらすことも可能である。さらに、挿入物は加温部材の上に置き、熱伝導によって加温することも可能である。この加温部材は、例えば、搾乳器の一部であり、好ましくは、予め、挿入物の形に合わせて形成されている。例えば、加温部材は、円錐台形状の台として形成されており、挿入物を加温部材の上にかぶせて加温することができる。加温過程を促進するために、さらに、円錐台の内部形状を有する蓋があることが好ましく、この蓋を、加温部材の上にかぶせた挿入物の上に置き、蓋と加温部材とで、挿入物を収容するための閉じられた空洞を形成する。円錐台形状の台に加えて、又は代わりに、蓋自身が加温部材を備えていることが好ましい。
【００２５】
挿入物が、上記方法で加温される場合は、挿入物、又はその充填媒体は、少なくとも一部が、蓄熱性が良好な材料から製造されている。
【００２６】
図２に示す実施形態では、挿入物をその使用前、又は使用中に加温することができる。このために、基部１には、少なくとも一つの抵抗発熱体が配置されており、ここでは抵抗電熱線３の形をとっている。この抵抗電熱線３は、電気的接触手段４、好ましくは、挿入物の外面に取り付けられた接触面と接続している。この接触手段４は、ブレストキャップ６の内面に取り付けられ、電線路を経て搾乳器と接続している電気的接触部材５と接触する。挿入物がブレストキャップ６にはめ込まれると、接触が閉じられ、抵抗発熱体が搾乳器の電力供給によって加温され、そのため、挿入物の基部１が加温される。搾乳器の使用中に挿入物が加温される場合には、良好な蓄熱容量は必ずしも必要でない。この場合、加温された基部から乳房への熱伝導が良好であることがより重要である。
【００２７】
図３には、その他の実施例が示されている。ここでは、ブレストキャップ挿入物が作動手段７を有しており、キャップにはめ込まれた状態で、ブレストキャップ６のスイッチ手段８と接触し、又はスイッチ手段８を作動する。それによって、ブレストキャップ６に配置された加温器９が作動される。加温器９は、好ましくは、抵抗電熱線からなっている。加温器９は、熱放射と熱伝導によって、ブレストキャップ挿入物に熱を供給することにより、ブレストキャップ挿入物が再び加温され、熱が乳房に伝導される。作動手段７及びスイッチ手段８としては、例えば、電気的接触面、特に、回路を閉じる金属板が適している。しかしながら、回路を閉じ、加温器９を作動するために、ピン／プラグ接続、又はその他の適当な手段も使用することができる。また、ブレストキャップ挿入物に作動手段を必要としない場合、キャップ内の加温器を作動するために、キャップ、又は搾乳器のその他の部分にスイッチを備えることも可能である。
【００２８】
また、図３による実施形態では、使用方法に応じて、基部１の熱伝導係数と蓄熱容量の両方、又は一方が高いことが必要とされる。
【００２９】
加温器をキャップに統合した実施形態では、使い捨てのブレストキャップ挿入物を比較的安く製造できるという利点がある。
【００３０】
ブレストキャップ挿入物は、上述の図では概略しか示されておらず、特に、ブレストキャップとブレストキャップ挿入物の相互作用が概略的にしか示されていない。実際には、カラー２が本体から反れて、ブレストキャップ前端の周りに折り込まれ、ブレストキャップのこの前部分において、ブレストキャップ６の漏斗部分の外側表面６０の上にのる。それによって、接触部材５及びスイッチ手段８をブレストキャップのこの外面に配置し、接触手段４及び作動手段７をカラー２の内面に配置することも可能である。この配置によって、これらの部材と手段が、キャップと乳房の間にくるようなことはなく、それ故に、敏感な乳房にとっての圧力点として影響を及ぼすことがない。
【００３１】
上述の実施形態は、好ましくは、二重壁に製造されており、充填材を詰めたチャンバー１２を有している。しかしながら、それら及びそれらの基部は、適当な柔らかさの変形可能な材料から一体に形成することも可能である。特に、ブレストキャップ挿入物、又はブレストキャップに加温器が統合された実施形態では、ゲルを充填したチャンバーは必ずしも必要でない。
【００３２】
図４には、本発明によるブレストキャップ挿入物の別の実施例が示されている。挿入物は、実質的には上述と同じ形である。また、挿入物をブレストキャップの漏斗部分に保持するため、ブレストキャップの前端を超えて折り返すことが可能なカラー２を有している。しかしながら、この実施例では、比較的柔らかいが、形の安定した発泡プラスチック、又は適当な発泡プラスチックと似た材料、特にポリウレタンフォーム、又はポリオレフィンフォームから一体に製造されている。
【図面の簡単な説明】
【００３３】
【図１】本発明による、二重壁の基部を有するブレストキャップ挿入物の第一の実施形態の垂直断面図である。
【図２】本発明の第二の実施形態による、ブレストキャップ及び抵抗発熱体を備えたブレストキャップ挿入物の垂直断面図である。
【図３】本発明の第三の実施形態による、ブレストキャップ及び作動部材を備えたブレストキャップ挿入物の垂直断面図である。
【図４】本発明によるブレストキャップ挿入物の第四の実施形態の垂直断面図である。
【符号の説明】
【００３４】
１    基部
１０  内側円錐壁
１１  外側円錐壁
１２  チャンバー
１３  大開口部
１４  小開口部
１５  充填媒体
１６  パッド
１７  溶接線
２    カラー
２０  第1の脚
２１  第２の脚
３    抵抗発熱体
４    接触手段
５    接触部材
６    ブレストキャップ
７    作動手段
８    スイッチ手段
９    加温器
【図１】
2007520277.tif 000003
【図２】
2007520277.tif 000004
【図３】
2007520277.tif 000005
【図４】
2007520277.tif 000006
【国際調査報告】
2007520277.tif 000007
2007520277.tif 000008
2007520277.tif 000009
2007520277.tif 000010
2007520277.tif 000011
2007520277.tif 000012
2007520277.tif 000013
2007520277.tif 000014
2007520277.tif 000015
2007520277.tif 000016